【手続補正書】
【提出日】平成20年1月17日(2008.1.17)
【手続補正１】
【補正対象書類名】明細書
【補正対象項目名】特許請求の範囲
【補正方法】変更
【補正の内容】
【特許請求の範囲】
【請求項１】  処理装置と、
１つまたは複数の出力デバイス内でコンテンツを再生するためのコンテンツ再生装置と、
前記コンテンツ再生装置をサポートしながら前記コンテンツを処理するための処理ツールと、
前記処理ツールによって前記コンテンツが処理される前に前記コンテンツをスクランブルし、前記処理ツールによって前記コンテンツが処理された後で前記コンテンツをスクランブル解除するためのスクランブリングシステムと
を具え、
ここで、前記スクランブリングシステムは、オペレーティングシステムによって処理されている間、未認証の使用から前記コンテンツを保護するものであり、
前記処理ツールは、前記スクランブルされたコンテンツを変更し、加算制御、調整制御、他のソースとの混合、ディレイの付与のうちの１つまたは複数を実行することを特徴とするクライアント。
【請求項２】  前記処理ツールは、
前記コンテンツを処理する１つまたは複数のフィルタを備えたフィルタグラフを含むことを特徴とする請求項１記載のクライアント。
【請求項３】  前記コンテンツ再生装置は、
暗号化および圧縮化形式で前記コンテンツを受け取り、
該コンテンツを復号および圧縮解除することを特徴とする請求項１記載のクライアント。
【請求項４】  前記スクランブリングシステムは、前記コンテンツに雑音を追加することを特徴とする請求項１記載のクライアント。
【請求項５】  前記スクランブリングシステムは、少なくともコンテンツのサブセットとビットの不規則ストリームとをＸＯＲ（排他的論理和）することを特徴とする請求項１記載のクライアント。
【請求項６】  前記スクランブリングシステムは、時間領域スクランブリング又は周波数領域スクランブリングのうち１つを使用して、前記コンテンツを変換することを特徴とする請求項１記載のクライアント。
【請求項７】  前記クライアントは、前記出力デバイス用に少なくとも１つのドライバを有し、
前記スクランブリングシステムは、
スクランブルされたコンテンツを生成するために前記コンテンツをスクランブルするための、前記コンテンツ再生装置に常駐するスクランブラと、
コンテンツを回復するためにスクランブルされた前記コンテンツをスクランブル解除するための、前記ドライバに常駐するデスクランブラと
を含むことを特徴とする請求項１記載のクライアント。
【請求項８】  前記スクランブリングシステムは、不規則信号を前記コンテンツに追加して、スクランブルされたコンテンツを生成し、
前記スクランブルされたコンテンツから不規則信号を除去して、コンテンツを回復することを特徴とする請求項１記載のクライアント。
【請求項９】  前記スクランブリングシステムは、定期的な同期トーンおよび不規則信号を前記コンテンツに追加して、スクランブルされたコンテンツを生成し、
前記スクランブルされたコンテンツから前記同期トーンおよび不規則信号を除去して、コンテンツを回復することを特徴とする請求項１記載のクライアント。
【請求項１０】  前記スクランブリングシステムは、少なくとも１つの鍵を使用して、前記コンテンツをスクランブルすることを特徴とする請求項１記載のクライアント。
【請求項１１】  前記スクランブリングシステムは、
第１の鍵に基づいて変化する振幅を有するトーンパターンの定期的セットを作成するためのトーン生成器と、
前記第１の鍵および第２の鍵に基づいて不規則信号を生成する第１の乱数生成器と、
前記トーンパターンおよび前記不規則信号を前記コンテンツに追加して、スクランブルされたコンテンツを生成する加算器と、
前記スクランブルされたコンテンツから前記トーンパターンを検出し、前記トーンパターンの前記変化する振幅から前記第１の鍵を回復するトーン検出器と、
前記回復された第１の鍵および前記第２の鍵に基づいて不規則信号を作成する第２の乱数生成器と、
前記トーンパターンおよび前記不規則信号を前記スクランブルされたコンテンツから除去して、前記コンテンツを復元する減算器と
を具えたことを特徴とする請求項１記載のクライアント。
【請求項１２】  前記第２の鍵は、前記スクランブルされたコンテンツとは別のチャネルを介して渡されることを特徴とする請求項１１記載のクライアント。
【請求項１３】  前記第２の鍵は、前記第１と第２の乱数生成器の間で安全保護されたパスを介して交換されることを特徴とする請求項１１記載のクライアント。
【請求項１４】  前記スクランブリングシステムは、前記メモリ内に格納され、前記処理装置上で実行されるソフトウェアで実施されることを特徴とする請求項１記載のクライアント。
【請求項１５】  コンテンツを保護するためのクライアントサーバシステムであって、
クライアントと、
前記クライアントにコンテンツを提供するためのサーバと
を具え、
前記サーバは、前記コンテンツを暗号化および圧縮して、符号化されたコンテンツを生成する符号器を有し、
前記クライアントは、前記サーバから前記符号化されたコンテンツを受け取り、前記符号化されたコンテンツを復号および圧縮解除し、前記コンテンツを回復させる復号器を有し、
前記クライアントは、復号および圧縮解除後に前記コンテンツをスクランブルするためのスクランブラを有し、ここで、該コンテンツは、前記クライアントによって処理されてもスクランブルされたままであり、前記スクランブリングシステムは、前記クライアントによって処理されている間、未認証の使用から前記コンテンツを保護するものであり、
前記クライアントは、さらに、後続の再生のために処理された後に前記コンテンツをスクランブル解除するためのデスクランブラを有し、
ここで、前記処理は、前記スクランブルされたコンテンツを変更し、加算制御、調整制御、他のソースとの混合、ディレイの付与のうちの１つまたは複数を実行することを特徴とするクライアントサーバシステム。
【請求項１６】  前記クライアントは、
前記コンテンツを再生するための媒体再生装置と、
前記媒体再生装置をサポートするための処理ツールと、
ドライバと
を具え、
前記スクランブラは、前記媒体再生装置の一部として実施され、
前記デスクランブラは、前記ドライバの一部として実施されることを特徴とする請求項１５記載のクライアントサーバシステム。
【請求項１７】  前記クライアントは、オペレーティングシステムを実行し、
前記コンテンツは、前記オペレーティングシステムによって処理される間にスクランブルされることを特徴とする請求項１５記載のクライアントサーバシステム。
【請求項１８】  コンピュータデバイス内のコンテンツを保護するための方法であって、
符号化されたコンテンツを受信する工程と、
前記符号化されたコンテンツを復号化して、前記コンテンツを回復させる工程と、
前記復号化の後に前記コンテンツをスクランブルする工程と、
スクランブル中に前記コンテンツを処理する工程と、
ここで、前記スクランブルされたコンテンツは、前記コンピュータデバイス内で処理されている間、未認証の使用から保護されるものであり、
前記処理後に前記コンテンツをデスクランブルする工程と、
前記コンテンツを再生する工程と
ここで、前記処理は、前記スクランブルされたコンテンツを変更し、加算制御、調整制御、他のソースとの混合、ディレイの付与のうちの１つまたは複数を実行するものであり、
を具えたことを特徴とする方法。
【請求項１９】  前記スクランブルする工程は、前記コンテンツに雑音を追加することを含むことを特徴とする請求項１８記載の方法。
【請求項２０】  前記スクランブルする工程は、少なくとも前記コンテンツのサブセットをビットの不規則なストリームとＸＯＲ（排他的論理和）する工程を含むことを特徴とする請求項１８記載の方法。
【請求項２１】  前記スクランブルする工程は、
時間領域変換または周波数領域変換のうち１つを使用して前記コンテンツを変換する工程を含むことを特徴とする請求項１８記載の方法。
【請求項２２】  前記スクランブルする工程は、
前記コンテンツに同期トーンのセットを定期的に追加する工程と、
前記コンテンツに不規則信号を追加する工程と
を含むことを特徴とする請求項１８記載の方法。
【請求項２３】  前記デスクランブルする工程は、
前記コンテンツから前記同期トーンのセットを検出する工程と、
前記コンテンツから前記同期トーンを除去する工程と、
前記コンテンツから前記不規則信号を除去する工程と
を含むことを特徴とする請求項２２記載の方法。
【請求項２４】  前記スクランブルする工程は、
第１の鍵に基づいて変化する振幅を有するトーンパターンの定期的なセットを生成する工程と、
前記第１の鍵および第２の鍵に基づいて不規則信号を生成する工程と、
前記コンテンツに、前記トーンパターンおよび前記不規則信号を加算する工程と
を含むことを特徴とする請求項１８記載の方法。
【請求項２５】  前記デスクランブルする工程は、
前記コンテンツから前記トーンパターンを検出する工程と、
前記トーンパターンの前記変化する振幅から、前記第１の鍵を回復させる工程と、
前記回復された第１の鍵および前記第２の鍵に基づいて不規則信号を生成する工程と、
前記スクランブルされたコンテンツから前記トーンパターンおよび前記不規則信号を除去して、前記コンテンツを復元する工程と
を含むことを特徴とする請求項２４記載の方法。
【請求項２６】  前記処理する工程は、フィルタグラフを介して前記コンテンツを渡す工程を含むことを特徴とする請求項１８記載の方法。
【請求項２７】  ネットワークを介してサーバからクライアントへコンテンツを送達するための方法であって、
前記コンテンツを前記サーバ側で符号化する工程と、
前記コンテンツを前記サーバから前記クライアントに提供する工程と、
前記コンテンツを前記クライアント側で復号化する工程と、
前記コンテンツを前記復号化後にスクランブルする工程と、
前記コンテンツをスクランブル中に処理する工程と、
ここで、前記スクランブルされたコンテンツは、前記クライアント内で処理されている間、未認証の使用から保護されるものであり、
前記コンテンツを前記処理後にデスクランブルする工程と、
前記コンテンツを再生する工程と
ここで、前記処理は、前記スクランブルされたコンテンツを変更し、加算制御、調整制御、他のソースとの混合、ディレイの付与のうちの１つまたは複数を実行するものであり、
を具えたことを特徴とする方法。
【請求項２８】  前記スクランブルする工程は、
前記コンテンツに同期トーンのセットを定期的に追加する工程と、
前記コンテンツに不規則信号を加算する工程と
を含むことを特徴とする請求項２７記載の方法。
【請求項２９】  前記デスクランブルする工程は、
前記コンテンツから前記同期トーンのセットを検出する工程と、
前記コンテンツから前記同期トーンを除去する工程と、
前記コンテンツから前記不規則信号を除去する工程と
を含むことを特徴とする請求項２８記載の方法。
【請求項３０】  ネットワークを介してサーバからクライアントへコンテンツを送達するための方法であって、
前記コンテンツを前記サーバ側でスクランブルして、該スクランブルされたコンテンツを生成する工程と、
前記スクランブルされたコンテンツを前記サーバ側で圧縮する工程と、
前記圧縮およびスクランブルされたコンテンツを、前記サーバから前記クライアントに提供する工程と、
前記圧縮およびスクランブルされたコンテンツを前記クライアント側で圧縮解除し、該スクランブルされたコンテンツを回復させる工程と、
前記クライアントで、前記スクランブルされたコンテンツを変更し、加算制御、調整制御、他のソースとの混合、ディレイの付与のうちの１つまたは複数を実行するために、前記スクランブルされたコンテンツを処理する工程と、
ここで、前記スクランブルされたコンテンツは、前記クライアントによって処理されている間、未認証の使用から保護されるものであり、
前記処理後に前記スクランブルされたコンテンツをデスクランブルし、前記コンテンツを回復させる工程と、
前記コンテンツを再生する工程と
を具えたことを特徴とする方法。
【請求項３１】  前記スクランブルする工程は、
第１の鍵に基づいて変化する振幅を有するトーンパターンの定期的なセットを生成する工程と、
前記第１の鍵および第２の鍵に基づいて不規則信号を生成する工程と、
前記コンテンツに、前記トーンパターンおよび前記不規則信号を加算する工程と
を含むことを特徴とする請求項３０記載の方法。
【請求項３２】  前記デスクランブルする工程は、
前記コンテンツから前記トーンパターンを検出する工程と、
前記トーンパターンの前記変化する振幅から、前記第１の鍵を回復させる工程と、
前記回復された第１の鍵および前記第２の鍵に基づいて不規則信号を生成する工程と、
前記スクランブルされたコンテンツから前記トーンパターンおよび前記不規則信号を除去し、前記コンテンツを復元する工程と
を含むことを特徴とする請求項３１記載の方法。